(57)【特許請求の範囲】
【請求項１】
内部に複数の内臓物を備え、体腔内に挿入可能な挿入部と、
内臓物の１つとして前記挿入部内に配置され、光を伝達するためのファイバ束からなる光ガイド部材と、
前記光ガイド部材を充填する内周面を備えるとともに、先端側を前記挿入部の先端部に固定する外周面を備え、所定の肉厚によって形成された筒状の口金と、
前記口金の後端側における他の内臓物に面する側でかつ周方向の所定の範囲を前記外周面から前記内周面にかけて切り欠いて形成されたスリットと、
前記光ガイド部材に被覆され、先端を前記口金に被覆した被覆チューブと、
前記スリットを覆った前記被覆チューブを前記スリットに落とし込むことによって他の内臓物に面した周方向範囲における外径を小さくするとともに、前記口金の周方向から前記被覆チューブを光ガイド部材及び口金に締め付けて前記被覆チューブを前記スリットに
係止させる締結部材と、
を具備することを特徴とする内視鏡。
【発明の詳細な説明】
【０００１】
【発明の属する技術分野】
本発明はファイバ束からなるライトガイド等の光ガイドを被覆するチューブの固定手段を有する内視鏡に関する。
【０００２】
【従来の技術】
近年、医療用分野及び工業用分野において、細長の挿入部を有し、この挿入部の先端側の先端部に照明手段及び観察手段を設けた内視鏡が広く用いられる。この照明手段は、一般的にはライトガイド（或いはライトガイドファイバ）を用いて形成されている。このライトガイドは、可撓性を有するファイバ束で形成され、このファイバ束によって外部の光源装置からの照明光を先端側の端面に伝送し、対象物側を照明する。
【０００３】
このファイバ束はファイバの折損等を防止するために被覆するチューブで被覆されている。また、ファイバ束は先端部に固定するために口金が設けられ、この口金は先端部に固定され、かつファイバ束を被覆するチューブは口金に固定される。
【０００４】
このチューブの固定手段の従来技術として、例えば実開昭５５−１５５２０５号公報があり、ライトガイドファイバの先端口金（ストレートパイプ）の一部に段差部（フランジ）を設け、この段差部に被覆チューブの端部を引っかけ糸縛りする構成が開示されている。
この構成により、被覆チューブがフランジの凸部に引っかかり係着される様になっていた。
【０００５】
【発明が解決しようとする課題】
上記従来技術ではライトガイドファイバの口金に、フランジから成る段差部を設けるので、段差部の加工に手間がかかり、その結果部材のコストが高価になる。
また、段差部を設けているため、その部分で口金の最外径が大きくなり、その結果、内視鏡の先端部が太径化してしまう欠点となる。
【０００６】
本発明は上述した点に鑑みてなされたもので、上記欠点を解決し、安価でかつ先端部の細径化を実現できる内視鏡を提供することを目的とする。
【０００７】
【課題を解決するための手段】
本発明の一態様による内視鏡は、内部に複数の内臓物を備え、体腔内に挿入可能な挿入部と、
内臓物の１つとして前記挿入部内に配置され、光を伝達するためのファイバ束からなる光ガイド部材と、
前記光ガイド部材を充填する内周面を備えるとともに、先端側を前記挿入部の先端部に固定する外周面を備え、所定の肉厚によって形成された筒状の口金と、
前記口金の後端側における他の内臓物に面する側でかつ周方向の所定の範囲を前記外周面から前記内周面にかけて切り欠いて形成されたスリットと、
前記光ガイド部材に被覆され、先端を前記口金に被覆した被覆チューブと、
前記スリットを覆った前記被覆チューブを前記スリットに落とし込むことによって他の内臓物に面した周方向範囲における外径を小さくするとともに、前記口金の周方向から前記被覆チューブを光ガイド部材及び口金に締め付けて前記被覆チューブを前記スリットに
係止させる締結部材と、
を具備している。
【０００８】
【発明の実施の形態】
以下、図面を参照して本発明の実施の形態を説明する。
（第１の実施の形態）
図１ないし図４は本発明の第１の実施の形態に係り、図１は第１の実施の形態における内視鏡先端部の詳細図、図２は本実施の形態に係るライトガイド口金部を示す断面図、図３は本実施の形態に係る内視鏡先端部のＡ−Ａ断面図、図４は本実施の形態に係る口金の斜視図である。
【０００９】
図１に示すように内視鏡を形成する挿入部１は、先端に硬質の先端部２を有しこの先端部２には硬質の先端枠２ａが設けられている。この先端枠２ａは、送気・送水チャンネル３に連通する孔が形成され、この孔の後端には送気・送水チャンネル３を形成するチューブ３ａの先端が口金を介して固定され、この孔の先端にはノズル４が設けられている。
【００１０】
また、先端枠２ａを貫通し、照明窓を形成する透孔の先端には照明レンズ５ａが配設され、この照明レンズ５ａに隣接する後方には挿入部１内を挿通された光ガイド部材、具体的にはライトガイド５の先端側がライトガイド口金１１を介して固定され、ライトガイド５により伝送された照明光は照明レンズ５ａを経て前方に出射され、患部等の対象物を照明する照明手段が形成されている。
【００１１】
このライトガイド５は可撓性を有し、光を伝送するライトガイドファイバを束ねたファイバ束で構成され、このファイバ束は折損等を防止する可撓性のチューブ１２、１３で被覆されて挿入部１内を挿通されている。
【００１２】
上記照明光で照明された対象物はこの照明窓に隣接して設けられた観察窓６ａを形成する透孔にレンズ枠６ｂを介して固定された対物レンズ系６を有する撮像装置７により撮像される。
【００１３】
この撮像装置７は、先端側に対物レンズ系６を有し、この対物レンズ系６はレンズ枠６ｂが先端枠２ａの透孔に嵌合し、ビス等で先端枠２ａに固定されている。先端枠２ａの先端寄りの外周及び先端面の一部は先端カバー８で覆われている。この先端部２の後端には湾曲自在の湾曲部９が設けられている。
【００１４】
先端枠２ａの外周には、第１の湾曲駒９ａが嵌合して固定されている。この第１の湾曲駒９ａの後端は第２の湾曲駒９ｂと第１の関節軸１０で回動自在に連結され、さらにこの第２の湾曲駒９ｂの後端は（図示しない）第３の湾曲駒と第２の間節軸で回動自在に連結されるという具合に多数の湾曲駒が回動自在に連結されて湾曲部８が形成され、図示しない操作部側でアングルノブを操作することによりワイヤを押し引きして多数の湾曲駒を湾曲させることができる。
【００１５】
湾曲駒９ａ，９ｂは可撓性に富むゴムチューブ９ｃで被覆されている。挿入部１内にはこの他に図３に示すように処置具チャンネル１６を形成するチューブ１６ａが設けられ、この処置具チャンネル１６内に処置具を挿通して治療処置を行ったり、処置具を挿通しない場合には吸引を行うのにも利用される。なお、図１は図３のＢ−Ｂ断面である。
【００１６】
図１に示すように先端枠２ａにはライトガイド５が充填されて固定されたライトガイド口金１１がネジ等で固定されている。このライトガイド口金１１の後端側は先端枠２ａの後端より後方に突出し、被覆チューブ固定手段１７によりライトガイド５を保護する保護チューブ１３を固定している。以下、本実施の形態の特徴となる被覆チューブ固定手段１７について説明する。
【００１７】
図２に示すようにライトガイド５の先端側は、円筒状のライトガイド口金（以下、単に口金と記す）１１内に充填されている。また、ライトガイド５の外周面は第１の被覆材としての可撓性の外装チューブ１２が被覆し、この外装チューブ１２の先端は口金１１の後端部１１ａに固定されている。
【００１８】
さらに、外装チューブ１２の外周には第２の被覆材としての可撓性の保護チューブ１３が外装されている。前記口金１１には図４に示す様に後端側に口金１１の中心軸Ｏ、つまり口金１１の長手方向に対し、直交する方向に円弧状に切り欠いた切欠部としてのスリット部１１ｂが設けられている。そして、図２に示すようにこのスリット１１部ｂにおいて、保護チューブ１３を締結固定する手段としての糸縛り１４により口金１１に固定する被覆チューブ固定手段１７を形成している。
【００１９】
図３は、内視鏡の先端部２における口金１１に設けたスリット部１１ｂの位置での断面図である。
図３に示すように挿入部１の先端部２内には、処置具チャンネル１６、送気・送水チャンネル３と、撮像装置７と、ライトガイド５が内蔵されている。ライトガイド５を被覆する保護チューブ１３はレイアウト上これらチャンネル１６と、撮像装置７に隣接して配置されている。本実施の形態では、前記口金１１のスリット部１１ｂを内蔵物と隣接する方向、或いは内蔵物に対向する側に設けてあり、このスリット部１１ｂでの糸縛り１４での固定により、先端部２の細径化を達成している。
【００２０】
なお、先端部２の硬質長は先端面から第１の湾曲駒９ａの後端の関節軸１０までの長さであり、単に先端部２と記載した場合にはこの硬質長部分を意味する。次に本実施の形態の作用及び効果は以下のようになる。
【００２１】
口金１１のスリット部１１ｂの位置で糸縛り１４を行うと、この部分の外径は、スリット部１１ｂが無い部分と比較するとスリット部１１ｂ内にもぐり込む様になるので、この部分での外径を小さくできる。内蔵物（チャンネル１６や、撮像装置７）と隣接する方向側、或いは隣接する部分にスリット部１１ｂでの糸縛り１４を行うことにより、ライトガイド５を内視鏡の中心側に配置することができる（スリット部１１ｂを設けないで糸縛りを行うと干渉するレイアウトとなってしまう）。
この構成による作用によりレイアウト上、内視鏡の先端部２の外径を細くすることができる。
【００２２】
また、スリット部１１ｂ上で糸縛り１４を行うことにより保護チューブ１３の固定強度（チューブ抜け耐性）を強くすることができる。つまり、スリット部１１ｂを設けないと、糸縛りによる固定部分を長くしないと保護チューブ１３を抜けることなく固定することが困難であり、この場合には固定部分が長くなるので、ライトガイド５の先端側の硬質部長が長くなってしまう。
【００２３】
これに対し、上記のようにスリット部１１ｂで固定すると、保護チューブ１３の先端側をスリット部１１ｂ内に折り曲げるようにして固定するので、糸縛り１４の部分が短くても抜けることなく確実に固定できる。
従来のフランジによる固定法と比較し、口金１１のスリット部１１ｂの（加工による）形成は、容易であり、安価にスリット部１１ｂが設けられた口金１１を提供できる。
【００２４】
なお、上記第１の実施の形態における被覆チューブ固定手段１７によってライトガイド５を被覆する保護チューブ１３をスリット部１１ｂで固定しているが、外装チューブ１２と共に保護チューブ１３を重ねた状態でスリット部１１ｂで糸縛りで締結固定するようにしても良い。
【００２５】
（第２の実施の形態）
次に操作性の良い処置具を説明する。
図５及び図６は本発明の第２の実施の形態に係り、図５は本実施の形態の内視鏡挿入部の先端側の構成を示し、図６は処置具チャンネルと処置具の状態の説明図を示す。
図５に示すように内視鏡の挿入部２０は、可撓性を有する可撓管部２１と、この可撓管部２１の先端に連結された湾曲管部２２と、この湾曲管部２２の先端に連結され、硬質の先端部２３とから構成される。
【００２６】
湾曲管部２２の外周には、ゴムチューブ等の外皮２２ａで被覆されている。上記先端部２３には、外部に開口する孔２４が形成され、この孔２４に隣接した孔には対物レンズ系２５が設けられている。挿入部２０内には、光学像を伝送する光ガイド部材としてのイメージガイド２６や、処置具を挿通するチャンネル２７を形成するチャンネルチューブ２７ａが設けられている。
【００２７】
このイメージガイド２６は光を伝送する極細のファイバを束ねた可撓性を有するファイバ束で形成され、かつこのファイバ束では両端でのファイバの配列が相対的に一致或いは対応しているので、光学像を伝送する機能を有する。
【００２８】
上記イメージガイド２６の先端は、口金２６ａに充填されて固定され、この口金２６ａは先端硬性部２３に嵌合し、対物レンズ系２５が光学像を結ぶ位置にイメージガイド２６の先端面が位置するように調整されてネジ等で先端部２３に固定されている。
【００２９】
この口金２６ａの後端は先端部２３の後端より後方に突出し、この口金２６ａの後端部には第１の実施の形態と同様に、この口金２６ａの長手方向と直交する方向に切欠いたスリット部等の切欠部２６ｂが形成され、イメージガイド２６を被覆し、各ファイバの折損等を防止する保護チューブ２６ｃの先端側をこの切欠部２６ｂ上で糸縛り２６ｄで締結固定する被覆チューブ固定手段１８を設けている。
【００３０】
また、先端部２３には図５には図示しないライトガイドが設けられており、照明光を伝送して先端面から出射し、対物レンズ系２５で観察できるように患部等を照明する。このライトガイドを被覆する保護チューブの先端側もこの被覆チューブ固定手段１８と同様な構造の被覆チューブ固定手段で固定され、イメージガイド２６の被覆チューブ固定手段１８と隣接する方向に設けた場合に、切欠部２６ｂを隣接する方向或いは隣接する側に設けることにより互いに干渉することなく近接して配置できるようにして、先端部２３の細径化を可能にしている。
【００３１】
湾曲管部２２は挿入部２０の長手方向に多数の湾曲駒２２ｂが互いに回動自在に連結されている。また、湾曲操作を行うための湾曲ワイヤ１９が挿通され、この湾曲ワイヤ１９の先端は先端部２３に固定され、この湾曲ワイヤ１９の後端は図示しない操作部の湾曲操作機構に接続されている。
【００３２】
上記チャンネル２７には図６に示すように処置具２８を挿通することができる。
この処置具２８は、チャンネル２７内に挿通されるが、処置具２８の先端近傍には、屈曲部２８ａが設けられ、Ｕ字状に屈曲している。この屈曲部２８ａは図６に示した様に、幅Ａの大きさを持ち、チャンネル２７の内径をφＢとすれば、Ａ≧φＢの関係となる様に設定されている。
【００３３】
本実施の形態は以下の作用及び効果を有する。
本実施の形態では例えば大口径のチャンネル２７に、小口径のチャンネルと組み合わされる処置具２８を挿通した場合、クリアランスＣを消滅させ、チャンネル内壁の一方に、処置具２８が押しつけられる。それにより、遊びのない、安定した処置具挿通及び操作が行える。
また、本実施の形態においても被覆チューブ固定手段１８等を設けているので、先端部２３を細径化できる。
【００３４】
図７は第２の実施の形態の変形例に係るチャンネルと処置具の状態の説明図を示す。（図６と同じ構成部材は、第２の実施の形態と同じ番号を付記した）
処置具２８の先端近傍には、屈曲部２８ａが設けられている。又、処置具２８の先端部は、角度θの傾きが設けられている。このときθは０°＜θ≦３０°になっている。
【００３５】
この変形例は以下の作用及び効果を有する。
第２の実施の形態と同様、処置具２８は遊びのない安定した処置具挿通と操作を行うことができる。
【００３６】
又、処置具２８の先端部に傾き持たせるようにしたことにより、処置具２８を回転させることにより、処置具２８の位置を、任意に変えることができる。
【００３７】
（第３の実施の形態）
次に先端部の硬質長を短縮化できる撮像装置を設けた内視鏡を図８を参照して説明する。
図８に示すように内視鏡の先端部２９を形成する本体４２には撮像装置３０が取り付けられている。この撮像装置３０は本体４２の孔に嵌合して固定される対物レンズ枠３３に取り付けられ、対物レンズ系を構成する対物レンズ群３４と、この対物レンズ枠３３の後端にＣＣＤホルダ３２を介して取り付けられる撮像部とから構成され、この撮像部内にＣＣＤ３１が内蔵されている。
【００３８】
ＣＣＤ３１は以下の構成をもっている。チップ３１ｂがパッケージ３１ｃ（以下ＰＫＧと称す）に接続されて、チップ３１ｂの前方には、カバーガラス３１ａが設けられている。カバーガラス３１ａ、チップ３１ｂは、封止樹脂３１ｆにより、ＰＫＧ３１ｃに固着されいてる。カバーガラス３１ａの前方には、光学ガラス３４ｂが光学的に芯出しされた状態で接合されている。
【００３９】
これらは、ＣＣＤホルダ３２に突き当て固定されている。なお、対物レンズ群３４が取り付けられたレンズ枠３３に嵌合するＣＣＤホルダ３２はそのレンズ枠嵌合部３２ａで、ピント出しされた状態で嵌合接合されている。
【００４０】
ＣＣＤリードは、チップ面側に延出したものリード３１ｄと、ＰＫＧ後端側に延出したものリード３１ｅで構成されている。チップ面側に延出したリード３１ｄには、回路基板３５がチップ面側に延出するようにランド３５ａ部において接続されている。回路基板上３５には、ＩＣ３６や、電子部品３７が実装され、これらはＣＣＤ３１の入出力信号を処理する回路を構成している。
【００４１】
この回路基板３５は、ＣＣＤホルダ３２に設けられた回路基板収納孔３２ｂに配置されている。一方、ＰＫＧ後端側に延出したリード３１ｅには、ケーブル３８を構成する各々の信号線３８ａが接続されている。
【００４２】
ＣＣＤホルダ３２の外周には、金属製のシールド部材３９が嵌合して設けられており、ＣＣＤ３１後方に延出している。さらに、シールド部材３９の外周には、絶縁性の被覆チューブ４０が外装され、シールド部材３９の内周面には、接着剤４１が充填されている。前記被覆チューブ４０の最後端４０ａの位置までが、撮像装置３０の硬質長となる。
【００４３】
本体４２の外周には、先端カバー４３が嵌合するように設けられている。先端カバー４３には、ライトガイド用の照明レンズ４４が設けられ、本体４２を貫通するようにしてライトガイド４５が充填された口金４５ａが（本体４２に）固定され、この口金４５ａの後端は本体４２の後方に延出している。
【００４４】
この口金４５ａの後端側には、隣接する内蔵物としての撮像装置３０に対向する側の口金４５ａをこの口金４５ａの長手方向に直交する方向に少なくとも一部が切り欠かれた切欠を有するにスリット部等の切欠部４５ｂが形成され、ライトガイド４５を被覆する保護チューブ４５ｃの先端側をこの切欠部４５ｂで糸縛り４５ｄにより締結固定する被覆チューブ固定手段４９を設けている。
【００４５】
本実施の形態ではこの切欠部４５ｂは口金４５ｂの長手方向にもある程度の長さを有し、隣接して配置される内蔵物と干渉しないで近接して配置できるようにしている。
【００４６】
さらに本体４２の外周には、湾曲部４６を構成する第１湾曲駒４６ａが嵌合固定されている。
【００４７】
このような構成の撮像装置３０ではＣＣＤ３１のリードをチップ面側に延出し、そのリードに回路基板３５を接続し、回路基板３５を撮像装置３０の先端側に延出させたので、ＰＫＧ後端部には、他のリード３１ｅにケーブル３８のみが接続する配置となるので、硬質部の要因となる回路基板３５がＰＫＧ後方に延出しない分、硬質長の短縮化を得ることができる。
【００４８】
硬質長が短縮化することにより、体腔内等での内視鏡の挿入とか湾曲の操作等が容易となり、被検者への苦痛を低減することができる。
また、第１の実施の形態と同様に先端部２９を細径化できる。
【００４９】
なお、第１ないし第３の実施の形態において、少なくとも光を伝送する機能を有する光ガイド部材（具体的には光を伝送するライトガイド或いは光学像を伝送するイメージガイド）を被覆するチューブの先端側を固定する口金の長手方向に直交する方向にスリット状に切欠部を形成するものに限定されるものでなく、正方形状、長方形状、円形状、楕円形状等に形成しても良い。また、他の内蔵物側に切欠部を形成したものに限定されるものでなく、例えば先端部の中心から半径外側方向側に切欠部を設けて、その切欠部で締結することにより、その外周側の部材（例えば図８では第１湾曲駒４６ａ）との干渉を防止するようにしても良く、この場合にも先端部を細径化できる。
【００５０】
次に吸引を行った場合に粘膜を傷付けることを解消した内視鏡を説明する。図９は粘膜を傷付けることを解消する手段を有する内視鏡の第１の実施の先端側を斜視図で示し、図１０は図９のＣ−Ｃ断面を示す。
【００５１】
図９に示すように内視鏡の先端部５０には、対物光学系５３及び照明光学系５４、対物系洗滌用ノズル５５及びチャンネル５１が配置されている。
チャンネル５１の開口部には、この図９に示す様に、複数のスリット５２が設けられている。各スリット５２は、図１０に示すように空気の流れを効率良くする為にその隅部が滑らかな円弧形状５２ａとなっている。
【００５２】
この内視鏡の作用及び効果は以下のようになる。
図１０に示すようにチャンネル５１の吸引時、粘膜５６が、チャンネル５１の開口部をふさいでも吸引はスリット５２を通して行われるので、粘膜５６を吸いついて傷つけてしまうことを解消できる。
【００５３】
次に粘膜を傷付けることを解消する手段を有する内視鏡の第２の実施の形態を説明する。図１１は本実施の形態の内視鏡の先端側を斜視図で示し、図１２は図１１のＤ−Ｄ断面を示す。なお、図９及び図１０と同じ構成部材は同じ番号を付けて説明する。
【００５４】
内視鏡の先端部５０には、対物光学系５３及び照明光学系５４、対物系洗滌用ノズル５５及びチャンネル５１が配置されている。
チャンネル５１の開口部には、図１１に示す様に複数の突起部５７が設けられている。
【００５５】
この内視鏡の作用及び効果は以下のようになる。
チャンネル５１の吸引時、粘膜５６が、チャンネル５１の開口部をふさいでも図１２に示す様に突起部５７に粘膜５６が接触し、粘膜５６と、内視鏡先端部５０との間にすき間ができ、その部分で吸引が行われるので、粘膜５６を吸いついて傷つけるおそれを解消できる。
【００５６】
次にチャンネル孔にガイド溝を設けた内視鏡を説明する。図１３はこの内視鏡の先端部を正面図で示し、図１４は図１３のＥ−Ｅ断面図を示す。
図１３に示すように内視鏡の先端部６０には、対物光学系６２、照明光学系６３、対物系洗滌用ノズル６４及びチャンネルチューブ６１（図１４参照）に連通するチャンネル孔６７が配置されている。
【００５７】
図１４に示すように先端部６０には、硬質の本体６６の先端側に先端カバー６５が嵌合して固定している。また、対物レンズ枠６２ａに対物レンズ６２ｂが配置され、対物レンズ枠６２ａが先端カバー６５及び本体６６を貫通する様に配置されている。また、対物レンズ６２ｂの後方には、イメージガイド６２ｃが設けられている。
【００５８】
一方、本体６６には、チャンネルチューブ６１が接続され、そのチャンネルチューブ６１の内孔６１ａは、先端カバー６５及び本体６６を貫通するチャンネル孔６７の周辺部には、複数のガイド溝６７ａが設けられている。このガイド溝６７ａに図１３の破線で示した処置具６８が位置決めされる様になっている。また、ガイド溝６７ａの本体６６内側の後端部においては、処置具６８の誘導をスムーズにする為に、円弧状６７ｂになっている。
【００５９】
このガイド溝６７ａの位置は、処置具の突出が頻繁に行われる位置（図１３中に示す様に６時〜９時の位置）に設けられる。ガイド溝６７ａの数については、図１３中に３箇所設けているが、これに限らない。もっと多く設けるようにしても良い。
【００６０】
この内視鏡ではチャンネル孔にガイド溝を設けたことにより、チャンネル孔径に対し、細い径の処置具を使用する場合、処置具の突出量を増やしても、突出位置が確保されるので、処置具の操作性が向上する。又、突出操作時、周方向へ移動することがないので、処置具の操作性が向上する。
【００６１】
次に過剰吸引判断手段を設けた内視鏡吸引システムを説明する。図１５はこの内視鏡吸引システムの概略の構成を示し、図１６は吸引システムの動作説明のタイムチャートを示す。
【００６２】
図１５に示すように内視鏡吸引システム６９は内視鏡７０と、照明光を供給する光源装置７１と、送気等を行う送気ユニット７２とを有する。内視鏡７０の操作部７７からユニバーサルコード７８が延出され、その先端には、ライトガイドコネクタ７５が設けられ、このこのライトカイドコネクタ７５は、光源装置７１に接続される。
【００６３】
光源装置７１内には、吸引操作をモニタし、過剰吸引の判断を行う過剰吸引判断回路７１ａを装備している。
【００６４】
また、操作部７７には、送気口７３が設けられ、この送気口７３と送気ユニット７２がチューブ７４等で接続されている。前記光源装置７１内に設けられた過剰吸引判断回路７１ａと、送気ユニット７２は、電気的に接続されている。
この過剰吸引判断回路７１ａと送気ユニット７２との関係は、図１６に示すタイムチャートの様になっている。
【００６５】
過剰吸引判断回路７１ａ内では、図１６（Ａ）に示すように吸引過剰レベルと通常の吸引レベルとのしきい値７９が設定されており、吸引レベルがこのしきい値７９を越えると、図１６（Ｂ）に示すように送気ユニット７２に送気ＯＮの信号を出すようにしている。
【００６６】
この送気ＯＮとなると、送気ユニット７２からチューブ７４を経て図示しない内視鏡７０の内部の送気チューブより挿入部７９の先端部７６側へ強制的に送気され、ノズルから空気が噴出される様になっている。
なお、本実施の形態のシステム６９では、光源装置７１と送気ユニット７２とは別体となっているが、両者を一体化した実施の形態でもよい。
【００６７】
このような構成とすることにより、生体組織の吸引で過剰吸引が発生した場合、送気ユニット７２による送気により、先端部７６と組織が離され、組織への損傷を防止できる。また、組織と先端部との密着がなくなる為、所定の吸引量を確保することができる。
【００６８】
［付記］
１．ファイバ束からなる光ガイド部材の先端を内視鏡先端部に固定する口金を有する内視鏡において、
前記口金の後端側に、前記口金の長手方向に直交する方向に切欠が設けられた切欠部で、前記光ガイド部材を被覆する被覆チューブを締結固定する被覆チューブ固定手段を有することを特徴とする内視鏡。
２．前記切欠部は内視鏡を構成する内蔵物と隣接する方向に設けた付記１記載の内視鏡。
【００６９】
１′．内視鏡のライトガイド先端の口金において、口金の内視鏡基端側の端部近傍外周に、口金長手方向中心軸と直交する様にスリット部を設け、前記スリット部で、ライトガイドファイバを外装する被覆材を締結固定したことを特徴とする内視鏡。
（付記１′の目的）細径化及びライトガイド用保護チューブの固定強度の向上。
２′．上記スリット部は、内視鏡を構成する内蔵物と隣接する方向に設けたことを特徴とする付記１′記載の内視鏡。
【００７０】
３．内視鏡の大口径のチャンネルと組み合わされる処置具において、処置具のシース部先端側にシース幅がチャンネル内径より大きい屈曲部を設けた処置具。
（付記３の背景）
従来、処置具を挿通する内視鏡においては、大口径チャンネルと、組み合わされる処置具は、小口径チャンネルに使用される処置具を組合せた場合、処置具外径と、チャンネル内径の隙間が大きく、処置具がチャンネル内で遊んでしまい（図６中のクリアランスＣ）処置具を目的部位に誘導しにくいという欠点があった。このため、この欠点を解消して操作性の良い処置具を提供することを目的として、この目的を達成するために付記３の構成にした。
【００７１】
４．内視鏡の大口径チャンネルを組み合わされる処置具において、処置具のシース部先端側にシース巾がチャンネル内径より大きい屈曲部と、先端部に傾きを設けた処置具。
【００７２】
５．固体撮像素子を用いた撮像装置において、リード足の一部を固体撮像素子の前方に延出させ、このリード足に、回路基板を接続した撮像装置。
（付記５の背景）
従来技術として、例えば、特開平２−２９９６２９号公報があり、固体撮像素子の後方にリード足が延出し、そこに回路基板とケーブルが配置された構成が開示されている。
従来の構成においては、上記回路基板の配置が、撮像装置（結果として、内視鏡装置）の硬質長を伸ばす要因となっていた。このため、このため、硬質長短縮化が実現できる撮像装置を提供することを目的とし、この目的を達成するために付記５の構成にした。
【００７３】
【発明の効果】
以上説明したように本発明によれば、被覆チューブの締結固定部分の径を小さくでき、従って、内視鏡先端部の細径化を可能にする。また、切欠部を有する口金も低コストで実現できる。
【図面の簡単な説明】
【図１】本発明の第１の実施の形態における内視鏡先端部の断面図。
【図２】ライトガイド口金部を示す断面図。
【図３】図１のＡ−Ａ断面図。
【図４】スリット部を設けた口金を示す斜視図。
【図５】本発明の第２の実施の形態における内視鏡の先端側の断面図。
【図６】処置具をチャンネルに挿通した状態を示す説明図。
【図７】図６の処置具とは異なる処置具をチャンネルに挿通した状態を示す説明図。
【図８】本発明の第３の実施の形態における内視鏡の先端側の断面図。
【図９】粘膜を傷つけることを解消する手段を有する内視鏡の先端側を示す斜視図。
【図１０】図９のＣ−Ｃ断面による作用説明図。
【図１１】粘膜を傷つけることを解消する手段を有する内視鏡の先端側を示す斜視図。
【図１２】図１１のＤ−Ｄ断面による作用説明図。
【図１３】チャンネル孔にガイド溝を設けた内視鏡の先端面を示す正面図。
【図１４】図１３のＥ−Ｅ断面による内視鏡の先端部の断面図。
【図１５】過剰吸引判断手段を設けた内視鏡吸引システムの概略構成図。
【図１６】図１５の作用説明図。
【符号の説明】
１…挿入部
２…先端部
３…送気・送水チャンネル
４…ノズル
５…ライトガイド
６…対物レンズ系
７…撮像装置
８…先端カバー
９…湾曲部
１１…（ライトガイド）口金
１１ｂ…スリット部
１２…外装チューブ
１３…保護チューブ
１４…糸縛り
１６…チャンネル
１７…被覆チューブ固定手段
【図１】
0004004563.tif 000002
【図２】
0004004563.tif 000003
【図３】
0004004563.tif 000004
【図４】
0004004563.tif 000005
【図５】
0004004563.tif 000006
【図６】
0004004563.tif 000007
【図７】
0004004563.tif 000008
【図８】
0004004563.tif 000009
【図９】
0004004563.tif 000010
【図１０】
0004004563.tif 000011
【図１１】
0004004563.tif 000012
【図１２】
0004004563.tif 000013
【図１３】
0004004563.tif 000014
【図１４】
0004004563.tif 000015
【図１５】
0004004563.tif 000016
【図１６】
0004004563.tif 000017